(57)【要約】【課題】高解像度の番組を録画予約した際に、録画できないことをユーザに通知することができる放送受信装置を提供する。【解決手段】実施の形態の放送受信装置は、録画予約部と、制御部と、を有する。録画予約部は、所望の番組または所望の日時を録画予約する。制御部は、所望の番組の録画予約が指示された際に、所望の番組が映像表示部に表示可能な解像度の番組かを判定し、映像表示部に表示できない解像度の番組と判定した場合、録画予約できないことを通知する。【選択図】図１
2019186833.tif 000002
【特許請求の範囲】
【請求項１】
所望の番組または所望の日時を録画予約する録画予約部と、
前記所望の番組の録画予約が指示された際に、前記所望の番組が映像表示部に表示可能な解像度の番組かを判定し、前記映像表示部に表示できない解像度の番組と判定した場合、録画予約できないことを通知する制御部と、
を備えることを特徴とする放送受信装置。
【請求項２】
前記制御部は、前記所望の番組の解像度が映像表示部に表示可能な解像度であると判定した場合、録画予約できないことを通知せずに、録画予約を実行することを特徴とする請求項１に記載の放送受信装置。
【請求項３】
前記制御部は、前記所望の日時の録画予約が指示された際に、前記所望の日時に含まれる複数の番組の解像度がそれぞれ前記映像表示部に表示可能な解像度かを判定し、前記複数の番組のうち、前記映像表示部に表示できない解像度の番組が存在する場合、前記複数の番組のうち、前記映像表示部に表示可能な番組のみを録画し、前記映像表示部に表示できない番組を録画しないことを特徴とする請求項１に記載の放送受信装置。
【請求項４】
前記制御部は、前記複数の番組のうち、前記映像表示部に表示できない解像度の番組が存在しない場合、前記複数の番組の全てを録画することを特徴とする請求項３に記載の放送受信装置。
【請求項５】
前記制御部は、録画予約された前記所望の番組が前記映像表示部に表示できない解像度の番組に切り替わった場合、切り替わった前記番組を録画しないことを特徴とする請求項１に記載の放送受信装置。
【請求項６】
前記制御部は、本機からのお知らせを発行する、または、ポップアップメッセージを前記映像表示部に表示し、切り替わった前記番組を録画できなかったことを通知することを特徴とする請求項５に記載の放送受信装置。
【請求項７】
所望の番組または所望の日時を録画予約する録画予約ステップと、
前記所望の番組の録画予約が指示された際に、前記所望の番組が映像表示部に表示可能な解像度の番組かを判定し、前記映像表示部に表示できない解像度の番組と判定した場合、録画予約できないことを通知する通知ステップと、
を備えることを特徴とする放送受信方法。
【発明の詳細な説明】
【技術分野】
【０００１】
本発明の実施の形態は、放送受信装置及び放送受信方法に関する。
【背景技術】
【０００２】
近年、４Ｋ／８Ｋの超高精細度デジタル放送を提供するサービスとして、高度広帯域ＢＳ放送の試験放送が行われている。高度広帯域ＢＳ放送は、２０１８年１２月１日以降に実用放送を開始する予定になっており、標準規格が電波産業会（ＡＲＩＢ）によって策定されている。
【０００３】
この高度広帯域ＢＳ放送では、同一のチャンネルにおいて、４Ｋの解像度の映像を提供する４Ｋ番組と、８Ｋの解像度の映像を提供する８Ｋ番組とを、異なる時間帯に提供することが検討されている。
【０００４】
高度広帯域ＢＳ放送受信装置としては、４Ｋ番組を視聴できるが、８Ｋ番組には対応しておらず、８Ｋ番組を視聴できないという機種も販売されることが予想される。このような４Ｋ対応の放送受信装置は、４Ｋ番組の終了後、８Ｋ番組が開始されると、８Ｋ番組の映像を表示することができず、黒画面を表示することがある。
【０００５】
このため映像の解像度が表示部に表示できない表示不可能解像度である場合、表示の表示状態を所定の表示状態に制御し、映像を表示できない理由をユーザに通知するようにした放送受信装置が提供されることが予想される。
【０００６】
しかしながら、４Ｋ対応の放送受信装置において、映像を表示することができない８Ｋ番組等の高解像度の番組の録画予約をした場合、高解像度の番組を録画できないことを通知することはできない。
【先行技術文献】
【特許文献】
【０００７】
【特許文献１】特開２０１７−１１６９７号公報
【発明の概要】
【発明が解決しようとする課題】
【０００８】
本発明の実施の形態は、高解像度の番組を録画予約した際に、録画できないことをユーザに通知することができる放送受信装置及び放送受信方法を提供することを目的とする。
【課題を解決するための手段】
【０００９】
実施の形態の放送受信装置は録画予約部と、制御部と、を有する。録画予約部は、所望の番組または所望の日時を録画予約する。制御部は、所望の番組の録画予約が指示された際に、所望の番組が映像表示部に表示可能な解像度の番組かを判定し、映像表示部に表示できない解像度の番組と判定した場合、録画予約できないことを通知する。
【図面の簡単な説明】
【００１０】
【図１】一実施の形態に係る放送受信装置を示すブロック図である。
【図２】視聴できない高解像度番組を録画予約する際の処理の一例を示すフローチャートである。
【図３】視聴できない高解像度番組を録画予約する際に表示されるメッセージの一例を示す図である。
【図４】日時指定によって録画予約する際に映像表示部に表示される日時指定画面の一例を説明するための図である。
【図５】日時指定によって録画予約する際の処理の一例を示すフローチャートである。
【発明を実施するための形態】
【００１１】
以下、図面を参照して本発明の実施の形態について詳細に説明する。
【００１２】
図１は、一実施の形態に係る放送受信装置を示すブロック図である。
【００１３】
図１において、アンテナ２１は、高度広帯域ＢＳ放送及び高度広域帯ＣＳ放送（以下、これらを高度広帯域放送という）を受信して高度広帯域放送信号を放送受信装置１の入力端子２ａに供給する。入力端子２ａに入力された高度広帯域放送信号はチューナ部Ｔｕに供給される。
【００１４】
放送受信装置１は、制御部１０を備えている。制御部１０は、ＣＰＵ等を用いたプロセッサによって構成されて、ＲＯＭ１０ａに記憶されたプログラムに従って動作して各部を制御するものであってもよいし、ハードウェアの電子回路で機能の一部又は全部を実現するものであってもよい。
【００１５】
チューナ部Ｔｕは、複数のチューナＴｕ１，Ｔｕ２，…（以下、これらを代表してチューナＴｕｎという）を有している。チューナＴｕｎは、制御部１０に制御されて、それぞれ入力された高度広帯域放送信号の中から所望のチャンネルの放送信号を選局し、この選局した信号を信号処理部３に出力する。信号処理部３は、入力された放送信号を復調する。
【００１６】
図１の例では１つの高度広帯域放送に対応するアンテナ２１のみを示したが、地上デジタル放送、ＢＳ放送（高度広帯域ＢＳ放送を含む）、ＣＳ放送（高度狭帯域ＣＳ放送、高度広帯域ＣＳ放送を含む）に対応するアンテナを設けて、各アンテナからの信号をチューナ部Ｔｕに供給するようになっていてもよい。この場合には、信号処理部３は、各放送の変調方式に対応した復調を行う。これにより、信号処理部３において、各放送信号のストリームが得られる。なお、図１では、各放送信号がアンテナを介して入力される例を示したが、放送信号の伝送路は特に限定されるものではなく、空中線を介さずインターネット回線を介して受信するＩＰ放送や、ケーブルテレビジョン放送網を介して受信するものであってもよい。
【００１７】
例えば、高度広帯域放送信号については、信号処理部３の復調によってＴＬＶ（Type Length Value）ストリームが得られる。信号処理部３は、ＴＬＶストリームに含まれるＩＰパケットを分離し、ＩＰパケット中に含まれる映像データ、音声データ、字幕データ、文字スーパー、アプリケーションデータ及びＥＣＭ（Entitlement Control Message），ＥＭＭ（Entitlement Management Message）を含む各種メッセージを抽出する。
【００１８】
なお、信号処理部３は、地上デジタル放送信号については、復調処理によってトランスポートストリーム（ＭＰＥＧ−２  Ｓｙｓｔｅｍｓ規格により多重されたトランスポートストリーム）を抽出する。更に、信号処理部３は、トランスポートストリームから映像データ及び音声データを抽出すると共に、ＥＣＭ，ＥＭＭを含む各種メッセージを抽出するようになっている。
【００１９】
更に、信号処理部３は、各放送方式の映像データ及び音声データに対するデコード処理を行った後所定の信号処理を施し、映像データ及び音声データを得る。信号処理部３は、映像データ及び音声データをそれぞれグラフィック処理部４又は音声処理部７に与え、その他のデータを制御部１０に与える。ＯＳＤ信号生成部５は、制御部１０から与えられた情報に基づいて、スーパーインポーズ表示するための画像情報（ＯＳＤ信号）を生成してグラフィック処理部４に供給する。
【００２０】
グラフィック処理部４は、信号処理部３からのデジタルの映像データと、ＯＳＤ信号生成部５からのＧＵＩ（Graphical User Interface）に基づく画像等を重ね合わせ、重ね合わせた画像を映像処理部６に送る。
【００２１】
例えば、グラフィック処理部４には、映像データの他、番組を取得するための各種データや電子番組ガイド（ＥＰＧ）情報，番組属性情報，字幕情報等が与えられ、グラフィック処理部４は、これら入力された情報に基づいてＥＰＧ，字幕等を表示するための画像生成処理を行うことができる。
【００２２】
映像処理部６は、制御部１０に制御されて、グラフィック処理部４からのデジタル放送信号を映像表示部８で表示可能なフォーマット（画素数、フレーム周波数、走査方式）に変換したり、表示色を任意に調整したりして、映像表示部８に出力する。これにより、映像表示部８の表示画面上において、映像を表示させることができる。
【００２３】
また、音声処理部７は、信号処理部３からのデジタルの音声データを、スピーカ９で再生可能なアナログ信号に変換した後、スピーカ９に出力して音声を再生させる。なお、放送受信装置がセット・トップ・ボックス等の場合には、映像表示部８やスピーカ９を備えている必要はない。
【００２４】
放送受信装置１にはカードインタフェース（Ｉ／Ｆ）１３、通信Ｉ／Ｆ１６、ＵＳＢ  Ｉ／Ｆ１７及びＨＤＭＩ  Ｉ／Ｆ１８が設けられている。カードＩ／Ｆ１３は、カードホルダ１４に装着されたＩＣカード２３と、制御部１０との間でデータの送受信を可能にする。例えば、ＩＣカード２３として現行デジタル放送に対応したＣＡＳカードを採用した場合には、カードＩ／Ｆ１３は、現行放送のデスクランブルに関するデータの送受を行う。
【００２５】
通信Ｉ／Ｆ１６は、ＩＥＥＥ１３９４等の所定の通信路に対応したインタフェースであり、端子２ｂを介して図示しない外部機器に接続されて外部機器と制御部１０との間でデータの送受信を可能にする。また、ＨＤＭＩ  Ｉ／Ｆ１８は、ＨＤＭＩ規格に対応したインタフェースであり、端子２ｄを介して図示しない外部機器に接続されて外部機器からのＨＤＭＩ信号を受信して制御部１０に出力したり、制御部１０からのＨＤＭＩ信号を、端子２ｄを介して外部機器に出力したりすることができる。
【００２６】
ＵＳＢ  Ｉ／Ｆ１７は、ＵＳＢ規格に対応したインタフェースであり、端子２ｃを介してＨＤＤ２４等のＵＳＢ対応機器に接続されてＵＳＢ対応機器と制御部１０との間でデータの送受信を可能にする。例えば、端子２ｃにＨＤＤ２４が接続された場合には、制御部１０は、ＵＳＢ  Ｉ／Ｆ１７及び端子２ｃを介して映像データをＨＤＤ２４に与えて記録させることが可能である。なお、内蔵したＨＤＤや光ディスクドライブ、ＳＤ（登録商標）カードリーダライタ等によって記録部を構成することで、制御部１０は、放送番組の信号を記録することも可能である。
【００２７】
放送受信装置１には操作部１１及び受信部１２が設けられている。操作部１１は図示しないスイッチ、キー、ボタン等によって構成されて、ユーザ操作に基づく操作信号を制御部１０に出力する。また、受信部１２は、リモートコントローラ（以下、リモコンという）２２からユーザ操作に基づく操作信号を受信し、この受信した操作信号を制御部１０に出力する。制御部１０は、操作部１１及び受信部１２からの操作信号に基づいて、放送受信装置１の各部を制御する。例えば、リモコン２２によって、アップ／ダウンキーやワンタッチ選局ボタン等によって受信チャンネル番号を指定する操作が行われた場合には、各チューナＴｕｎは、リモコン２２からの操作信号に応じた選局動作を行う。
【００２８】
放送受信装置１にはＣＡＳモジュール１５が設けられている。ＣＡＳモジュール１５は、限定受信方式の制御のために用いられる。ＣＡＳモジュール１５には、モジュール固有のマスターキーＫｍが記憶されている。信号処理部３において抽出されたＥＭＭにはスクランブルを解除するためのワーク鍵Ｋｗが含まれる。このＥＭＭは、モジュール毎に個別のマスターキーＫｍで暗号化されており、ＣＡＳモジュール１５は、制御部１０から与えられたＥＭＭを、マスターキーＫｍを用いて復号してワーク鍵Ｋｗを取得する。
【００２９】
放送データはスクランブル鍵Ｋｓにより暗号化されている場合がある。このスクランブル鍵Ｋｓは、ＥＣＭに多重されて伝送される。このＥＣＭは放送事業者毎に可変のワーク鍵Ｋｗによって暗号化されており、ＣＡＳモジュール１５は、保存しているワーク鍵Ｋｗを用いて、制御部１０から与えられたＥＣＭを復号してスクランブル鍵Ｋｓを取得する。ＣＡＳモジュール１５からのスクランブル鍵Ｋｓは制御部１０を介して信号処理部３に供給され、信号処理部３は、スクランブル鍵Ｋｓを用いて、デスクランブル処理を行うようになっている。
【００３０】
なお、スクランブル鍵Ｋｓは、比較的短い時間で更新されており、ＣＡＳモジュール１５は、スクランブルが施された番組の視聴中は、常にスクランブル鍵Ｋｓの取得及び信号処理部３への出力を行う。なお、ＩＣカード２３としてＣＡＳカードを用いた場合には、このＣＡＳカードの復号動作もＣＡＳモジュール１５と同様である。
【００３１】
また、ユーザが電子番組表（ＥＰＧ）から所望の番組の録画予約を指示すると、制御部１０は、所望の番組の解像度が映像表示部８に表示可能な解像度か否かを判定する。制御部１０は、所望の番組の解像度が映像表示部８に表示可能な解像度でないと判定した場合、録画予約できないことを通知する。一方、制御部１０は、所望の番組の解像度が映像表示部８に表示可能な解像度であると判定した場合、録画予約できないことを通知せずに、所望の番組の録画予約を実行する。
【００３２】
例えば、放送受信装置１が４Ｋ番組を視聴できるが、８Ｋ番組を視聴できないものとする。制御部１０は、録画予約が指示された所望の番組が８Ｋ番組の場合、映像表示部８に表示できない高解像度の番組と判定し、高解像度の番組のため、録画予約できないことをユーザに通知する。
【００３３】
次に、視聴できない高解像度番組を録画予約する際の放送受信装置１の動作について、図２及び図３を用いて説明する。
【００３４】
図２は、視聴できない高解像度番組を録画予約する際の処理の一例を示すフローチャートであり、図３は、視聴できない高解像度番組を録画予約する際に表示されるメッセージの一例を示す図である。
【００３５】
ユーザが電子番組表から所望の番組を録画予約するためにリモコン２２を操作すると、制御部１０は、電子番組ガイド情報から生成される電子番組表３１を映像表示部８に表示する（Ｓ１）。この処理により、図３に示す電子番組表３１が映像表示部８に表示されることになる。
【００３６】
ユーザがリモコン２２を操作し、電子番組表３１から所望の番組３２の録画予約を指示すると（Ｓ２）、所望の番組３２の録画予約を指示するための制御信号がリモコン２２から受信部１２を介して制御部１０に入力される。このように、制御部１０は、所望の番組を録画予約することができる録画予約部録画予約部を構成する。
【００３７】
制御部１０は、所望の番組３２の録画予約を指示するための制御信号が入力されると、所望の番組３２の解像度を判定する（Ｓ３）。
【００３８】
そして、制御部１０は、判定した解像度が映像表示部８に表示可能な解像度か否かを判定する（Ｓ４）。なお、この「判定した解像度が映像表示部８に表示可能な解像度か否か」とは、例えば放送受信装置１が８Ｋ解像度のパネルを備えていたとしても、８Ｋ解像度の所望の番組３２を例えばデコードする能力を備えていないため８Ｋ解像度の所望の番組３２を表示する能力がない等、正常に表示することができない場合も含む。逆に、例えば放送受信装置１が４Ｋ解像度のパネルを備えていて８Ｋ解像度をダウンコンバートして４Ｋ解像度で表示する仕様の放送受信装置１の場合には、上記「判定した解像度が映像表示部８に表示可能な解像度か否か」の判定結果としては、判定した解像度が映像表示部８に表示可能な解像度と判定することになる。また、例えば放送受信装置１がセット・トップ・ボックスの場合には、８Ｋ解像度の所望の番組３２を正常に受信しＩ／Ｆを介して出力することができないというように読み替えて判定する。制御部１０は、判定した解像度が映像表示部８に表示可能な解像度でないと判定した場合（Ｓ４：ＮＯ）、高解像度の番組のため録画予約できないことを通知する（Ｓ５）。具体的には、図３に示すように、制御部１０は、判定した解像度が映像表示部８に表示可能な解像度でないと判定した場合、「この番組は対応していない８Ｋ番組のため、録画予約できません。」というメッセージ３３を電子番組表３１の中央に表示し、所望の番組３２が録画予約できないことをユーザに通知する。なお、メッセージ３３を表示する位置は、電子番組表３１の中央に限定されることなく、他の位置であってもよい。
【００３９】
このように、制御部１０は、ユーザが録画予約を指示しようとした所望の番組３２の解像度が映像表示部８に表示可能な解像度か、表示可能でない高解像度かを判定する。そして、制御部１０は、所望の番組３２の解像度が映像表示部８に表示可能でない高解像度と判定した場合、映像表示部８にメッセージ３３を表示し、録画予約できないことをユーザに通知する。
【００４０】
一方、制御部１０は、判定した解像度が映像表示部８に表示可能な解像度と判定した場合（Ｓ４：ＹＥＳ）、高解像度の番組のため録画予約できないことを通知しない（Ｓ６）。すなわち、制御部１０は、判定した解像度が映像表示部８に表示可能な解像度と判定した場合、メッセージ３３を電子番組表３１の中央に表示しないように制御する。その後、制御部１０は、所望の番組３２を録画予約し（Ｓ７）、処理を終了する。このように、制御部１０は、所望の番組３２を録画予約することができる録画予約部を構成する。
【００４１】
以上のように、放送受信装置１は、録画予約を指示しようとした所望の番組３２が映像表示部８に表示できない高解像度の番組の場合、高解像度の番組のため録画予約できないことをメッセージ３３によってユーザに通知することができる。これにより、放送受信装置１は、映像表示部８に表示することができない所望の番組３２を録画予約することを防ぐことができる。さらに、ユーザは、所望の番組３２が録画予約することができない理由を認識することができる。
【００４２】
よって、本実施の形態の放送受信装置によれば、高解像度の番組を録画予約した際に、録画できないことをユーザに通知することができる。
【００４３】
（変形例１）
次に、変形例１について説明する。
【００４４】
上述した実施の形態では、電子番組表３１から所望の番組３２を録画予約する場合について説明したが、変形例１では、日時指定によって録画予約する場合について説明する。
【００４５】
図４は、日時指定によって録画予約する際に映像表示部に表示される日時指定画面の一例を説明するための図である。
【００４６】
ユーザがリモコン２２の所定のボタンを操作することで、図４に示す日時指定画面４０が映像表示部８に表示される。ユーザは、リモコン２２に設けられた左右キーを操作することで設定する項目（予約する日、開始時刻、終了時刻）を選択し、上下キーを操作することで録画予約する日時を変更、あるいは、設定することができる。
【００４７】
ここで、日時指定画面４０によって録画予約の日時が設定された場合、例えば、設定された時間帯（４時から６時）に複数の番組が含まれている場合がある。複数の番組が含まれている場合、例えば、４Ｋ番組と８Ｋ番組とが混在していることが想定される。放送受信装置１は、４Ｋ番組と８Ｋ番組とが混在しているにもかかわらす、日時指定によって設定された時間帯を全て録画すると、例えば黒画面のみが録画された時間帯も存在することになる。
【００４８】
そこで、変形例１では、制御部１０は、日時指定によって設定された日時（時間帯）に映像表示部８に表示できない高解像度の番組が含まれている場合、映像表示部８に表示できる時間帯の番組のみ録画し、映像表示部８に表示できない時間帯の高解像度の番組については録画しないように制御する。このように、制御部１０は、所望の日時を録画予約することができる録画予約部を構成する。
【００４９】
次に、日時指定によって録画予約する際の放送受信装置１の動作について、図５を用いて説明する。
【００５０】
図５は、日時指定によって録画予約する際の処理の一例を示すフローチャートである。
【００５１】
ユーザが日時指定によって録画予約するためにリモコン２２を操作すると、制御部１０は、図４に示す日時指定画面４０を映像表示部８に表示する（Ｓ１１）。ユーザがリモコン２２を操作し、所望の日時の録画予約を指示すると（Ｓ１２）、所望の日時の録画予約を指示するための制御信号がリモコン２２から受信部１２を介して制御部１０に入力される。
【００５２】
制御部１０は、所望の日時の録画予約を指示するための制御信号が入力されると、所望の日時に含まれる全ての番組の解像度を判定する（Ｓ１３）。そして、制御部１０は、映像表示部８に表示できない解像度の番組が含まれているか否かを判定する（Ｓ１４）。なお、この「映像表示部８に表示できない解像度の番組」とは、例えば放送受信装置１が８Ｋ解像度のパネルを備えていたとしても、８Ｋ解像度の所望の番組３２を例えばデコードする能力を備えていないため８Ｋ解像度の所望の番組３２を表示する能力がない等、正常に表示することができない番組の場合も含む。逆に、例えば放送受信装置１が４Ｋ解像度のパネルを備えていて８Ｋ解像度をダウンコンバートして４Ｋ解像度で表示する仕様の放送受信装置１の場合には、映像表示部８に表示できる解像度の番組として、制御部１０での上記判定がされる。また、例えば放送受信装置１がセット・トップ・ボックスの場合には、８Ｋ解像度の所望の番組３２を正常に受信しＩ／Ｆを介して出力することができない番組が含まれているか否というように読み替えて判定する。
【００５３】
制御部１０は、映像表示部８に表示できない解像度の番組が含まれていないと判定した場合（Ｓ１４：ＮＯ）、所望の日時に含まれる全ての番組を録画する（Ｓ１５）。
【００５４】
一方、制御部１０は、映像表示部８に表示できない解像度の番組が含まれていると判定した場合（Ｓ１４：ＹＥＳ）、映像表示部８に表示できる番組のみ録画し、映像表示部８に表示できない番組は録画しない（Ｓ１６）。そして、制御部１０は、本機からのお知らせを発行し（Ｓ１７）、処理を終了する。
【００５５】
すなわち、制御部１０は、日時指定された所望の日時（あるいは、所望の時間帯）に映像表示部８に表示できない解像度の番組が含まれている場合、録画を実行せずに、例えば、本機からのお知らせを発行し、ユーザが所定のメニューから通知を見られるようにする。なお、制御部１０は、ＯＳＤ信号生成部５を制御してポップアップメッセージを映像表示部８に表示してもよい。
【００５６】
制御部１０は、例えば、「録画予約された時間帯に含まれる対応していない８Ｋ高解像度の番組は録画されていません。」という通知、あるいは、ポップアップメッセージを映像表示部８に表示する。
【００５７】
以上の処理により、放送受信装置１は、日時指定された時間帯のうち、映像表示部８に表示できない解像度の番組を録画せず、映像表示部８に表示可能な解像度の番組のみ録画することができる。また、放送受信装置１は、日時指定された時間帯のうち、映像表示部８に表示できない解像度の番組が含まれる場合、本機からのお知らせを発行する。この結果、  ユーザは、日時指定した時間帯のうち、録画されていない番組が存在することを認識することができる。
【００５８】
（変形例２）
次に、変形例２について説明する。
【００５９】
上述した実施の形態では、録画予約の際に、所望の番組３２の解像度が映像表示部８に表示可能な解像度の場合、録画予約を実行している。放送受信装置１が、例えば４Ｋ番組を視聴可能な場合、４Ｋ番組を録画予約することができる。
【００６０】
しかしながら、放送事業者の都合等によって、録画予約が指示された後に、所望の番組３２が、例えば、４Ｋ番組から８Ｋ番組に切り替わることが考えられる。この場合、放送受信装置１では、高解像度の８Ｋ番組を視聴できないため、例えば、黒画面が何時までも録画されることになる。また、ユーザは所望の番組３２がなぜ録画ができていないのかを認識することができない。
【００６１】
そこで、変形例２では、制御部１０は、録画予約された所望の番組３２が映像表示部８に表示可能でない解像度の番組に切り替わった場合、録画を実行せずに、例えば、本機からのお知らせを発行し、ユーザが所定のメニューから通知を見られるようにする、あるいは、ＯＳＤ信号生成部５を制御してポップアップメッセージを映像表示部８に表示する。
【００６２】
制御部１０は、例えば、「録画予約された番組は対応していない８Ｋ高解像度の番組に切り替わったため録画できませんでした。」という通知、あるいは、ポップアップメッセージを映像表示部８に表示する。
【００６３】
この結果、ユーザは、放送受信装置１において録画予約を指示した所望の番組３２が録画できなかった理由を認識することができる。
【００６４】
本発明は、上記実施の形態に限定されるものではなく、実施段階ではその要旨を逸脱しない範囲で種々に変形することが可能である。また、上記実施の形態には種々の段階の発明が含まれており、開示される複数の構成要件における適当な組み合わせにより種々の発明が抽出され得る。例えば、実施の形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【符号の説明】
【００６５】
１…放送受信装置、２ａ…入力端子、２ｂ〜２ｄ…端子、３…信号処理部、４…グラフィック処理部、５…ＯＳＤ信号生成部、６…映像処理部、７…音声処理部、８…映像表示部、９…スピーカ、１０…制御部、１１…操作部、１２…受信部、１３…カードＩ／Ｆ、１４…カードホルダ、１５…ＣＡＳモジュール、１６…通信Ｉ／Ｆ、１７…ＵＳＢ  Ｉ／Ｆ、１８…ＨＤＭＩ  Ｉ／Ｆ、２１…アンテナ、２２…リモートコントローラ、２３…カード、２４…ＨＤＤ、３１…電子番組表、３２…番組、３３…メッセージ、４０…日時指定画面。
【図１】
2019186833.tif 000003
【図２】
2019186833.tif 000004
【図３】
2019186833.tif 000005
【図４】
2019186833.tif 000006
【図５】
2019186833.tif 000007